(57)【特許請求の範囲】
【請求項１】
籾摺機の籾殻送出口に接続したチューブ状コンベヤ（１１）の下流側を接続する任意長の水平な入口管（２０）、
上流側の入口管（２０）と下流側の収集管本体（１，２）とを結ぶところの流路内の上流側に設けた上向の空気排出パイプ（３１）と前記流路内の下流側に設けた蝶弁型の籾殻流量調整板（３２）とを有する空気調整装置（３０）、
空気調整装置（３０）の下流側に接続し、合成樹脂製袋（６）を接続する下向きのダンパー（８）内蔵筒状籾殻取出口（１ａ…ｊ,２ａ…ｊ）を複数個列設した水平な収集管本体（１，２）、
収集管本体（１，２）の下流端近傍の上部分に設けた空気排出管（３）と、収集管本体（１，２）の下流端に設けた風量調節板（４）とからなる籾殻袋詰装置。
【発明の詳細な説明】
【０００１】
【発明の属する技術分野】
この発明は、籾摺機から排出された籾殻を袋詰めする装置に関するものである。
【０００２】
【発明が解決しようとする課題】
籾摺機にチューブ状コンベヤを接続し、風流と共に送られて来る籾殻を山積みし、山積みされた籾殻を人手によってスコップで合成樹脂製袋に詰めていた。この人手による作業は著しい手間と労力を要していた。この発明は籾摺機から出る籾殻の袋詰めを機械化し、人手と労力を省こうとするものである。
【０００３】
【課題を解決するための手段】
図面を参考にして説明する。この発明に係る籾殻袋詰装置は、籾摺機の籾殻送出口に接続したチューブ状コンベヤ１１の下流側を接続する任意長の水平な入口管２０、
上流側の入口管２０と下流側の収集管本体１，２とを結ぶところの流路内の上流側に設けた上向の空気排出パイプ３１と前記流路内の下流側に設けた蝶弁型の籾殻流量調整板３２とを有する空気調整装置３０、
空気調整装置３０の下流側に接続し、合成樹脂製袋６を接続する下向きのダンパー８内蔵筒状籾殻取出口１ａ…ｊ,２ａ…ｊを複数個列設した水平な収集管本体１，２、
収集管本体１，２の下流端近傍の上部分に設けた空気排出管３と、収集管本体１，２の下流端に設けた風量調節板４とからなるものである。
【０００４】
【発明の実施の形態】
籾摺機の籾殻送出口に接続したチューブ状コンベヤ１１は、送風機によって送られる空気と共に籾殻１０を送り出すようになっている。
【０００５】
チューブ状コンベヤ１１の下流端を接続する略水平な入口管２０は、籾殻１０を下層且つ風流上層にするため或る程度の長さＬａ（例えば1.5ｍ）以上有している。
上流側の入口管２０と下流側の収集管本体１，２とを結ぶところの流路内の上流側に設けた上向の空気排出パイプ３１と前記流路内の下流側に設けた蝶弁型の籾殻流量調整板３２とを有する空気調整装置３０が設置されている。
【０００６】
空気排出パイプ３１の高さは、籾殻１０の流出を防止するため或る程度の高さＨａが設けてある。図７・図８に示す如く籾殻流量調整板３２を一番閉じた状態にしても、籾殻流量調整板３２の下側の切欠３３から空気が抜けるようになっている。
【０００７】
床面１２上に支持具１３を介してパイプ状の収集管本体１，２が略水平に支持されている。収集管本体１，２上流側は空気調整装置３０の下流側に接続される。
【０００８】
収集管本体１，２は１本でもよいが、収集管本体１，２の上流側は双股パイプ４０を配して、空気調整装置３０に接続することもある。
【０００９】
収集管本体１，２の上流側から、籾殻が下層且つ風流が上層になるため或る程度の長さＬｂ（例えば1.5ｍ以上）を保って、その下流側に下向きの筒状籾殻取出口１ａ…ｊ,２ａ…ｊが複数個列設されている。
【００１０】
収集管本体１，２の下流端近傍の上部分には、空気排出管３が上向きに設けられている。収集管本体１，２の下流端には、図１０乃至図１２に示す如く、上半部開閉式の回転型風量調節板４が設けられ、該風量調整板４には撮みが設けられている。
【００１１】
各筒状籾殻取出口１ａ…ｊ,２ａ…ｊには、開閉用のダンパー８が配置されている。籾殻取出口１ａ…ｊ,２ａ…ｊの下端外周には滑り止め用のゴム被覆５が施されている。籾殻取出口１ａ…ｊ,２ａ…ｊにビニール等の合成樹脂製袋６を被せてゴムバンド７で締付ける。
【００１２】
【実施例】
籾摺機の排出ファンによって放出された籾殻１０を籾摺機排出口に接続した入口管２０から風圧により空気調整装置３０に移動していく。籾殻１０は重力により下方へ空気は上方に分かれて移動し入口管２０の長さＬａは最短で1.5ｍ以上の長さが必要である。
【００１３】
空気調整装置３０の空気排出パイプ３１の分岐にて風圧を下げるため、空気排出パイプ３１の方向に空気のみを排出する。この時、空気排出パイプ３１までの高さＨａは0.4ｍ以上必要とする。低いと籾殻１０が空気排出パイプ３１の排出口から出ることがある。
【００１４】
籾殻流量調整板３２にて空気排出パイプ３１の方向に籾殻１０が排出しない程度まで風を放出する。
【００１５】
籾殻流量調整板３２を通過すると、風圧の下がった籾殻１０は、双股パイプ４０にて２方向の収集管本体１，２に分かれて最初の籾殻取出口１ａ,２ａに向かう。この時、風圧は半分になる。最初の取出口１ａ,２ａに至る間Ｌｂは籾殻１０が下層、風流が上層に分かれるために1.5ｍ以上の長さが必要になる。
【００１６】
籾殻取出口１ａ…ｊ,２ａ…ｊにゴムバンド７で取付けてある合成樹脂製袋６が風圧により膨れている状態になっており、下層にある籾殻が落ち出していく。
【００１７】
取出口１ａ…ｄまでの１０カ所の取出口に同時に籾殻１０が落ちていく。取出口１ａ,２ａ,１ｂ,２ｂに移動し、随時１ｃ…ｆ,２ｃ…ｆといっぱいになる。取出口１ｇ…ｉ,２ｇ…ｉは籾殻が少ないため、少しずつ落ちていく。
【００１８】
取出口１ｇ…ｉ,２ｇ…ｉの上部にある空気排出管３に上層の風流は排出していく。風量調節板４を開けると、収集管本体１，２の風圧が下がり、風流は速くなる。籾殻１０は取出口１ｉ,２ｉの方向に多く流れてくる。この時、空気排出管３の風流は少なくなる。
【００１９】
風量調節板４を閉じると、収集管本体１，２の風圧が上がり、風流は遅くなり、最後の取出口１ｉ，２ｉには風流がなくなり、籾殻１０は落ちなくなる。この時空気排出管３の風流は多くなる。
【００２０】
したがって風量調節板４の調節にて空気排出管３に籾殻１０を放出しないようにし、最後の取出口１ｉ，２ｉに籾殻１０が落ちるようにセットする。空気排出管３に籾殻１０が排出しないように調節すれば快適に作業ができる。
【００２１】
始めは取出口１ａ…ｊ,２ａ…ｊについたダンパー８は図１３に示す如く開いた状態で合成樹脂製袋６に籾殻１０がいっぱいになり、空袋と取替えるとき図１４に示す如くダンパー８を閉じる。袋６の口部には余裕があるので、ダンパー８の下側の籾殻１０は、残らず袋６に収納出来る。ゴムバンド７を外し、合成樹脂製袋６を新しい袋と取替える。このときダンパー８がないと合成樹脂製袋６を外したときに、風圧によって籾殻１０が取出口１ａ…ｊ,２ａ…ｊから放出され、散乱する。
【００２２】
この発明によれば、従来、籾摺りを行う場合、籾殻が地面に山積みされている。この籾殻を最終処分する為、多人歩により袋詰めにして運搬していた。
【００２３】
1000ｍ２（１０アール）の水田では、ビニール等の合成樹脂製袋（市販0.7ｍ×1.3ｍ）で８袋程度の籾殻が排出される。この装置では、籾乾燥機１６石（2000ｍ２,２０アール）の籾殻１６〜１７袋が人力を使わずに袋詰めできる。
【００２４】
この籾殻では、山積みできない狭い場所や屋内で作業を行う場合、収集管本体の末端と空気排出パイプ３１を屋外に出して設置すれば雨降りや風の強い日、又、小さい粉塵などは空気排出パイプ３１で屋外に排出されるため、かゆくなったり、屋内の空気が汚れることがなく作業が楽になる。籾摺り終了と同時に籾殻は合成樹脂製袋に詰まった状態で作業が終わる。
【００２５】
【発明の効果】
この発明によれば、籾摺機から風圧によってチューブコンベヤに排出される籾殻を、殆ど人手を要することなく多数の袋に詰めることが出来る。
【図面の簡単な説明】
【図１】  袋を取付けていない状態の正面図である。
【図２】  袋を取付けた状態の正面図である。
【図３】  平面図である。
【図４】  底面図である。
【図５】  籾殻流量調整板を閉じた状態の空気調整装置の正面図である。
【図６】  籾殻流量調整板を開いた状態の空気調整装置の正面図である。
【図７】  籾殻流量調整板の正面図である。
【図８】  籾殻流量調整板の側面図である。
【図９】  風量調節板を開いた状態の収集管本体下流端の正面図である。
【図１０】  風量調節板を閉じた状態の収集管本体下流端の正面図である。
【図１１】  収集管本体下流端の側面図である。
【図１２】  風量調節板の側面図である。
【図１３】  ダンパーを開いた状態の取出口の正面図である。
【図１４】  ダンパーを閉じた状態の取出口の正面図である。
【図１５】  ダンパーの側面図である。
【図１６】  ダンパーの正面図である。
【符号の説明】
１        収集管本体
１ａ…ｊ  取出口
２        収集管本体
２ａ…ｊ  取出口
３        空気排出管
４        風量調節板
４ａ      撮み
５        ゴム被覆
６        袋
７        ゴムバンド
８        ダンパー
１０      籾殻
１１      チューブ状コンベヤ
１２      床面
１３      支持具
２０      入口管
３０      空気調整装置
３１      空気排出パイプ
３２      流量調整板
３３      切欠
４０      双股パイプ
Ｈａ      空気排出パイプの高さ
Ｌａ      入口管の入口と空気排出パイプとの間の長さ
Ｌｂ      流量調整板と最初の取出口の間の長さ
【図１】
0003743899.tif 000002
【図２】
0003743899.tif 000003
【図３】
0003743899.tif 000004
【図４】
0003743899.tif 000005
【図５】
0003743899.tif 000006
【図６】
0003743899.tif 000007
【図７】
0003743899.tif 000008
【図８】
0003743899.tif 000009
【図９】
0003743899.tif 000010
【図１０】
0003743899.tif 000011
【図１１】
0003743899.tif 000012
【図１２】
0003743899.tif 000013
【図１３】
0003743899.tif 000014
【図１４】
0003743899.tif 000015
【図１５】
0003743899.tif 000016
【図１６】
0003743899.tif 000017